(57)【要約】中継器を介して送信された遠隔通信を中継器を介して送信されない遠隔通信から識別する装置および方法である。この方法は、複数の遠隔局から開始する複数の信号送信を受信するステップを含み、各信号送信は複数の遠隔局のうちの１つから開始する呼に関連され、さらに中継器により与えられる弁別子を含んでいる受信された送信を識別するために複数の受信された信号送信を処理し、複数の各受信された信号送信は受信された信号送信がその弁別子を含んでいる場合には中継器を介して送信されたとして指示するステップを含んでいる。
2006507698.tif 000002
【特許請求の範囲】
【請求項１】
通信トラフィックの監視方法において、
複数の信号送信を少なくとも１つ受信し、各信号送信は複数の遠隔局の１つに関連する呼に関連され、
中継器により与えられる弁別子を含んでいる受信された送信を識別するために複数の受信された信号送信を処理し、
複数の各受信された信号送信を、受信された信号送信が弁別子を含んでいるならば中継器を介して送信されたものとして指定するステップを含んでいる方法。
【請求項２】
さらに、指定された信号送信を監視特性に関連付けるステップを含んでいる請求項１記載の方法。
【請求項３】
監視特性は、以下のグループ、即ち、
指定された信号送信に関連される呼の長さ、
指定された信号送信に関連される呼の数、
指定された信号送信に関連されるドロップされた呼の数、
指定された信号送信に関連される呼開始時間、
指定された信号送信に関連されるフレームエラー率（ＦＥＲ）、
指定された信号送信に関連される受信パワー、
指定された信号送信に関連される呼タイプから選択される請求項１記載の方法。
【請求項４】
受信された信号送信が弁別子を含むならば、複数の各受信された信号送信を中継器を介して送信されたとして指定するステップは、
受信された信号送信が弁別子を含み、その弁別子が中継器に関連するシグナチャを含んでいる場合には、複数の各受信された信号送信を中継器を介して送信されたものとして指定するステップを含んでいる請求項１記載の方法。
【請求項５】
さらに、第２の中継器により与えられる弁別子を含んでいる受信された送信を識別するために複数の受信された信号送信を処理し、
受信された信号送信が弁別子を含み、その弁別子が第２の中継器に関連する第２のシグナチャを含んでいる場合には、複数の各受信された信号送信を第２の中継器を介して送信されたものとして指定するステップを含んでいる請求項４記載の方法。
【請求項６】
弁別子は信号送信に対して行われる周波数変調を含んでいる請求項４記載の方法。
【請求項７】
弁別子は信号送信に対して行われる振幅変調を含んでいる請求項４記載の方法。
【請求項８】
弁別子は帯域内トーンを含んでいる請求項４記載の方法。
【請求項９】
弁別子は遠隔局で受信されたパワー制御情報を含んでいる請求項４記載の方法。
【請求項１０】
弁別子はさらに信号送信の第１の遅延変調されたコンポーネントを含んでいる請求項１記載の方法。
【請求項１１】
弁別子はさらに信号送信の第２の遅延コンポーネントを含んでいる請求項１０記載の方法。
【請求項１２】
第１の遅延変調されたコンポーネントと第２の遅延変調されたコンポーネントはそれぞれ時間的に変化する特性を含んでいる請求項１１記載の方法。
【請求項１３】
時間的に変化する特性はパワーである請求項１２記載の方法。
【請求項１４】
第１の遅延変調されたコンポーネントと第２の遅延変調されたコンポーネントとのパワーの和は実質的に一定である請求項１３記載の方法。
【請求項１５】
複数の信号送信は逆方向リンク送信であり、弁別子は逆方向リンク弁別子を含んでいる請求項１記載の方法。
【請求項１６】
複数の信号送信は基地局で受信される請求項１５記載の方法。
【請求項１７】
複数の信号送信は順方向リンク送信であり、弁別子は順方向リンク弁別子を含んでいる請求項１記載の方法。
【請求項１８】
複数の信号送信は遠隔局で受信される請求項１７記載の方法。
【請求項１９】
受信された信号送信が弁別子を含んでいる場合には複数の各受信された信号送信を中継器を介して送信されたものとして指定するステップは、
順方向リンク弁別子を有する信号を基地局へ送信し、
順方向リンク弁別子を含んでいる受信された送信を識別するために基地局で順方向リンク弁別子を有する信号を処理するステップを含んでいる請求項１８記載の方法。
【請求項２０】
さらに、順方向リンク弁別子を有するメッセージを中継器で受信し、
逆方向リンク弁別子を含むように受信されたメッセージを処理し、
順方向リンク弁別子と逆方向リンク弁別子とを有する処理されたメッセージを基地局へ送信し、
順方向リンク弁別子と逆方向リンク弁別子とを有する受信された送信を識別するために、順方向リンク弁別子と逆方向リンク弁別子とを有する信号を処理するステップを含んでいる請求項１９記載の方法。
【請求項２１】
さらに、複数の受信された信号送信が中継器を介して送信されたか否かに基づいて、中継器に関連するパラメータの少なくとも１つのセットを制御するステップを含んでいる請求項１記載の方法。
【請求項２２】
パラメータの少なくとも１つのセットは、以下のグループ、即ち、
中継器の順方向リンク利得と、
中継器の逆方向リンク利得と、
中継器の付勢と、
中継器の消勢と、
中継器の順方向リンク周波数と、
中継器の順方向リンク帯域幅と、
中継器の逆方向リンク周波数と、
中継器の逆方向リンク帯域幅と、
中継器の再放送チャンネルから選択される請求項２１記載の方法。
【請求項２３】
中継器を介して送信される通信を識別する装置において、
複数の遠隔局の１つから開始しまたはそこへ誘導される呼に関連されている複数の信号送信を受信するように構成された受信機と、
受信機に結合されてそれと通信し、中継器により与えられる弁別子を含んでいる受信された送信を識別し、複数の各受信された信号送信は受信された信号送信が弁別子を含んでいるならば中継器を介して送信されたとして指定するように構成されているプロセッサとを具備している装置。
【請求項２４】
プロセッサはさらに、指定された信号送信を監視特性に関連付ける請求項２３記載の装置。
【請求項２５】
監視特性は、以下のグループ、即ち、
指定された信号送信に関連される呼の長さ、
指定された信号送信に関連される呼の数、
指定された信号送信に関連されるドロップされた呼の数、
指定された信号送信に関連される呼開始時間、
指定された信号送信に関連されるフレームエラー率（ＦＥＲ）、
指定された信号送信に関連される受信パワー、
指定された信号送信に関連される呼タイプから選択される請求項２４記載の装置。
【請求項２６】
プロセッサは、受信された信号送信が弁別子を含み、弁別子が中継器に関連されるシグナチャを含むならば、複数の各受信された信号送信を中継器を介して送信されたものとして指定するように構成されている請求項２３記載の装置。
【請求項２７】
弁別子は遠隔局からの信号送信に対して行われる周波数変調を含んでいる請求項２６記載の装置。
【請求項２８】
弁別子は信号送信の第１の遅延変調されたコンポーネントを含んでいる請求項２３記載の装置。
【請求項２９】
弁別子はさらに信号送信の第２の遅延変調されたコンポーネントを含んでいる請求項２８記載の装置。
【請求項３０】
第１の遅延変調されたコンポーネントと第２の遅延変調されたコンポーネントとはそれぞれ時間的に変化する特性を含んでいる請求項２９記載の装置。
【請求項３１】
時間的に変化する特性はパワーである請求項３０記載の装置。
【請求項３２】
第１の遅延変調されたコンポーネントと第２の遅延変調されたコンポーネントとのパワーの和は実質的に一定である請求項３１記載の装置。
【請求項３３】
複数の信号送信は逆方向リンク送信であり、弁別子は逆方向リンク弁別子を含んでいる請求項２３記載の装置。
【請求項３４】
複数の信号送信は基地局で受信される請求項３３記載の装置。
【請求項３５】
複数の信号送信は順方向リンク送信であり、弁別子は順方向リンク弁別子を含んでいる請求項２３記載の装置。
【請求項３６】
複数の信号送信は遠隔局で受信される請求項３５記載の装置。
【請求項３７】
中継器を介して送信される通信を識別する装置において、
複数の遠隔局の１つに関連する呼に関連されている複数の信号送信の少なくとも１つを受信する手段と、
中継器により与えられる弁別子を含んでいる受信された送信を識別するために複数の受信された信号送信を処理する手段と、
受信された信号送信が弁別子を含んでいるならば複数の各受信された信号送信を中継器を介して送信されたものとして指定する手段とを含んでいる装置。
【請求項３８】
さらに、指定された信号送信を監視特性に関連付ける手段を具備している請求項３７記載の装置。
【請求項３９】
監視特性は、以下のグループ、即ち、
指定された信号送信に関連される呼の長さ、
指定された信号送信に関連される呼の数、
指定された信号送信に関連されるドロップされた呼の数、
指定された信号送信に関連される呼開始時間、
指定された信号送信に関連されるフレームエラー率（ＦＥＲ）、
指定された信号送信に関連される受信パワー、
指定された信号送信に関連される呼タイプから選択される請求項３７記載の装置。
【請求項４０】
受信された信号送信が弁別子を含むならば、複数の各受信された信号送信を中継器を介して送信されたとして指定する手段は、
受信された信号送信が弁別子を含み、弁別子が中継器に関連するシグナチャを含んでいるならば、複数の各受信された信号送信を中継器を介して送信されたものとして指定する手段を具備している請求項３７記載の装置。
【請求項４１】
さらに、第２の中継器により与えられる弁別子を含んでいる受信された送信を識別するために複数の受信された信号送信を処理する手段と、
受信された信号送信が弁別子を含み、弁別子が第２の中継器に関連する第２のシグナチャを含んでいるならば、複数の各受信された信号送信を第２の中継器を介して送信されたものとして指定する手段を具備している請求項４０記載の装置。
【請求項４２】
弁別子は遠隔局からの信号送信に対して行われる周波数変調を含んでいる請求項４１記載の装置。
【請求項４３】
弁別子は信号送信の第１の遅延変調されたコンポーネントを含んでいる請求項３７記載の装置。
【請求項４４】
弁別子はさらに信号送信の第２の遅延変調されたコンポーネントを含んでいる請求項４３記載の装置。
【請求項４５】
第１の遅延変調されたコンポーネントと第２の遅延変調されたコンポーネントとはそれぞれ時間的に変化する特性を含んでいる請求項４４記載の装置。
【請求項４６】
時間的に変化する特性はパワーである請求項４５記載の装置。
【請求項４７】
第１の遅延変調されたコンポーネントと第２の遅延変調されたコンポーネントとのパワーの和は実質的に一定である請求項４６記載の装置。
【請求項４８】
複数の信号送信は逆方向リンク送信であり、弁別子は逆方向リンク弁別子を含んでいる請求項３７記載の装置。
【請求項４９】
複数の信号送信は基地局で受信される請求項３７記載の装置。
【請求項５０】
複数の信号送信は順方向リンク送信であり、弁別子は順方向リンク弁別子を具備している請求項４９記載の装置。
【請求項５１】
複数の信号送信は遠隔局で受信される請求項３７記載の装置。
【請求項５２】
受信された信号送信が弁別子を含んでいる場合には複数の各受信された信号送信を中継器を介して送信されたものとして指定する手段において、
順方向リンク弁別子を有する信号を基地局へ送信する手段と、
順方向リンク弁別子を含んでいる受信された送信を識別するために基地局で順方向リンク弁別子を有する信号を処理する手段とを具備している請求項５１記載の装置。
【請求項５３】
さらに、順方向リンク弁別子を有するメッセージを中継器で受信する手段と、
逆方向リンク弁別子を含むように受信されたメッセージを処理する手段と、
順方向リンク弁別子と逆方向リンク弁別子とを有する処理されたメッセージを基地局へ送信する手段と、
順方向リンク弁別子と逆方向リンク弁別子とを有する受信された送信を識別するために、順方向リンク弁別子と逆方向リンク弁別子とを有する信号を処理する手段とを具備している請求項５１記載の装置。
【請求項５４】
中継器を介して送信された通信を中継器を介して送信されない遠隔通信から識別するために、
複数の遠隔局から複数の信号送信を受信し、各信号送信は複数の遠隔局の１つに関連する呼に関連され、
中継器により与えられる弁別子を含んでいる受信された送信を識別するために複数の受信された信号送信を処理し、
受信された信号送信が弁別子を含んでいるならば、複数の各受信された信号送信を中継器を介して送信されたものとして指定するステップを含んでいる方法を実行するためにコンピュータにより実効可能な命令の少なくとも１つのプログラムを具体的に実施するコンピュータにより読取可能なプログラム記憶装置。
【請求項５５】
中継器を介して送信された通信を中継器を介して送信されない通信から弁別する方法において、
中継器で信号送信を受信し、
中継器に関連するシグナチャを有する弁別子を含むように受信された信号を処理し、
処理された受信された信号を送信するステップを含んでいる方法。
【請求項５６】
処理された受信された信号は基地局へ送信される請求項５５記載の方法。
【請求項５７】
処理された受信された信号は遠隔局へ送信される請求項５５記載の方法。
【請求項５８】
中継器に関連するシグナチャを有する弁別子を含むように受信された信号を処理するステップは、
受信された信号を弁別子により増加するステップを含んでいる請求項５５記載の方法。
【請求項５９】
中継器に関連するシグナチャを有する弁別子を含むように受信された信号を処理するステップは、
弁別子にしたがって信号を変更するステップを含んでいる請求項５５記載の方法。
【請求項６０】
中継器に関連するシグナチャを有する弁別子を含むように受信された信号を処理するステップは、
信号送信の第１の遅延変調されたコンポーネントにより信号送信を増加するステップを含んでいる請求項５５記載の方法。
【請求項６１】
中継器に関連するシグナチャを有する弁別子を含むように受信された信号を処理するステップは、さらに、
信号送信の第２の遅延変調されたコンポーネントにより信号送信を増加するステップを含んでいる請求項６０記載の方法。
【請求項６２】
中継器に関連するシグナチャを有する弁別子を含むように受信された信号を処理するステップは、
第１の時間遅延と第２の時間遅延との間で交互に選択された時間期間だけ遅延される信号送信のコンポーネントにより信号送信を増加するステップを含んでいる請求項６１記載の方法。
【請求項６３】
中継器に関連するシグナチャを有する弁別子を含むように受信された信号を処理するステップは、
第１の時間遅延だけ遅延される信号送信の第１のコンポーネントにより信号送信を増加し、
第２の時間遅延だけ遅延される信号送信の第２のコンポーネントにより信号送信を増加するステップを含んでおり、
信号送信の第１のコンポーネントと信号送信の第２のコンポーネントとのパワーの和は時間的に一定である請求項６１記載の方法。
【請求項６４】
信号送信の第１のコンポーネントのパワーと信号送信の第２のコンポーネントのパワーは個々に時間的に変化する請求項６３記載の方法。
【請求項６５】
中継器はデジタルテレビジョンまたはデジタルオーディオ中継器を含んでいる請求項５５記載の方法。
【請求項６６】
中継器を介して送信された通信を中継器を介して送信されない通信から弁別する装置において、
中継器における信号送信の受信手段と、
中継器に関連するシグナチャを有する弁別子を含むように受信された信号を処理する手段と、
処理された受信された信号を送信する手段を具備している装置。
【請求項６７】
中継器に関連するシグナチャを有する弁別子を含むように受信された信号を処理する手段は、
受信された信号を弁別子により増加する手段を具備している請求項６６記載の装置。
【請求項６８】
中継器に関連するシグナチャを有する弁別子を含むように受信された信号を処理する手段は、
弁別子にしたがって信号を変更する手段を具備している請求項６６記載の装置。
【請求項６９】
中継器に関連するシグナチャを有する弁別子を含むように受信された信号を処理する手段は、
第１の周波数変調された弁別子により信号送信を増加する手段を具備している請求項６６記載の装置。
【請求項７０】
中継器に関連するシグナチャを有する弁別子を含むように受信された信号を処理する手段は、
信号送信の第１の遅延変調されたコンポーネントにより信号送信を増加する手段を具備している請求項６６記載の装置。
【請求項７１】
中継器に関連するシグナチャを有する弁別子を含むように受信された信号を処理する手段は、さらに、
信号送信の第２の遅延変調されたコンポーネントにより信号送信を増加する手段を具備している請求項７０記載の方法。
【請求項７２】
中継器に関連するシグナチャを有する弁別子を含むように受信された信号を処理する手段は、
第１の時間遅延と第２の時間遅延との間で交互に選択された時間期間だけ遅延される信号送信のコンポーネントにより信号送信を増加する手段を具備している請求項７０記載の装置。
【請求項７３】
中継器に関連するシグナチャを有する弁別子を含むように受信された信号を処理する手段は、
第１の時間遅延だけ遅延される信号送信の第１のコンポーネントにより信号送信を増加する手段と、
第２の時間遅延だけ遅延される信号送信の第２のコンポーネントにより信号送信を増加する手段を具備しており、
信号送信の第１のコンポーネントと信号送信の第２のコンポーネントのパワーの和は時間的に一定である請求項７０記載の装置。
【請求項７４】
信号送信の第１のコンポーネントのパワーと信号送信の第２のコンポーネントのパワーは個々に時間的に変化する請求項７３記載の装置。
【請求項７５】
中継器により送信されたとして弁別可能である通信を送信する中継器において、
信号送信を受信する受信機と、
受信機に結合されて通信し、中継器に関連するシグナチャを有する弁別子により受信された信号送信を増加する弁別子プロセッサと、
弁別子プロセッサに通信できるように結合され、増加された受信された信号を送信する送信機とを具備している中継器。
【請求項７６】
弁別子は周波数変調された弁別子である請求項７５記載の中継器。
【請求項７７】
弁別子プロセッサは、
通信できるように受信機に結合されている第１の遅延素子と、
この遅延素子と送信機とに通信できるように結合され、遅延素子から遅延された信号送信を受信された信号送信と結合する結合器とを具備している請求項７５記載の中継器。
【請求項７８】
第１の遅延素子はスイッチを介して受信機に通信できるように結合され、中継器はさらに、
スイッチを介して受信機と結合され、結合器に通信できるように結合されている第２の遅延素子を具備している請求項７７記載の中継器。
【請求項７９】
弁別子プロセッサは、
結合器に通信できるように結合され、第１の可変に増幅された受信された信号送信と、第２の可変に増幅された受信された信号送信とを提供する利得制御装置と、
利得制御装置に通信できるように結合される第１の遅延素子と、
利得制御装置に通信できるように結合される第２の遅延素子とを具備している請求項７７記載の中継器。
【請求項８０】
第１の遅延素子の出力と第２の遅延素子の出力のパワーの和が実質上一定であるように、利得制御装置は弁別プロセッサの出力を制御する請求項７９記載の中継器。
【請求項８１】
利得制御装置は、
可変利得を有し、受信機と第１の遅延素子とに通信できるように結合されている第１の増幅器と、
可変利得を有し、受信機と第２の遅延素子とに通信できるように結合されている第２の増幅器とを具備している請求項７９記載の中継器。
【請求項８２】
さらに、第１の遅延素子と、第２の遅延素子と、受信機とに通信できるように結合されている結合器を具備している請求項８１記載の中継器。
【発明の詳細な説明】
【技術分野】
【０００１】
本発明は移動局と基地局との間で情報を送受信する方法およびシステムに関し、特に受信されたメッセージが中継器を介して送信されたか否かを決定する方法およびシステムに関する。
【背景技術】
【０００２】
本出願は2002年１月９日出願の米国特許出願第60/348,198号明細書（発明の名称“METHOD AND SYSTEM FOR IDENTIFYING REPEATER TRAFFIC IN A CDMA MULTIPLE ACCESS SYSTEM”、Kenneth Robert Baker）の利点を主張している。
【０００３】
セルラ電話機（セルフォン）サービスは広く普及しつつある。幾つかのサービス領域では、セルフォンサービスプロバイダは特性をセルフォンのユーザ位置が決定されることを可能にするセルフォンネットワークへ組込むことが義務付けられている。これらのサービスは特に緊急呼（９１１等）に対して有効である。
【０００４】
このサービスの提供において、セルフォンユーザが中継器を介してセルの基地局と通信しているときに、問題が生じる。このような状態では、このようなシステムは典型的に中継器から受信されたとしてユーザへの信号を識別しないので、位置決定システムはセルフォンユーザがいる場所を弁別できず、ユーザの位置を決定する通常の手段（例えば信号強度と他の信号尺度を使用する三角測量）は中継器を通過することにより妥協される。例えば、中継器は典型的に４−１０μ秒を信号伝播時間に付加し、これは位置の曖昧性を生じさせる。さらに、中継器から受信された順方向リンク信号は基地局から直接受信された順方向リンク信号から弁別可能ではない。
【発明の開示】
【発明が解決しようとする課題】
【０００５】
また、幾つかの状態では、ネットワークトラフィック、特に中継器を通過するトラフィックを監視することが所望される。これにより中継器領域の呼統計の監視が可能になる。この能力はまた基地局が中継器を介して受信された送信と中継器を介さないで受信された送信（例えばセルフォンから直接受信された送信）とを弁別することができなければ実行が困難である。
【０００６】
特定のセルフォン送信が直接的に移動局から受信されたか、または送信が中継器を介して受信されたかを識別する簡単なシステムおよび方法が必要とされている。また、パワー制御能力を含んでいるセルラ電話機システムにより動作する簡単なシステムが必要とされている。本発明はこれらの要求を満足させる。
【０００７】
また、特定の基地局送信が直接的に基地局から受信されたか、または送信が中継器を介して受信されたかを識別する簡単なシステムおよび方法も必要とされている。また、パワー制御能力を含んでいるセルラ電話機システムと動作する簡単なシステムが必要とされている。本発明はこれらの要求も満足させる。
【課題を解決するための手段】
【０００８】
前述の要求を解決するため、本発明の１実施形態は遠隔通信トラフィックを監視する方法および装置を開示する。複数の信号送信のうち少なくとも１つが受信され、各信号送信は複数の遠隔局の１つに関連される呼または基地局から送信されるオーバーヘッドシグナリング情報と関連される。複数の受信された信号送信は、中継器により適用される弁別子を含んでいる受信された送信を識別するように処理され、複数の各受信された信号の送信は受信された送信が弁別子を含んでいるならば中継器を介して送信されたものとして指定される。
【０００９】
装置は、複数の遠隔局から開始する複数の信号送信を受信するように構成された受信機を具備し、各信号送信は複数の遠隔局のうちの１つから開始する呼に関連され、さらに受信機に通信できるように結合されたプロセッサを具備し、このプロセッサは中継器により与えられる弁別子を含んでいる受信された送信を識別し、複数の受信された各信号送信は受信された信号送信が弁別子を含んでいるならば中継器を介して送信されたものとして指定するように構成されている。
【００１０】
本発明の１実施形態は、種々の異なる呼および信号特性の監視を許容し、信号特性は（典型的に異なる時間帯で変化する）所定の時間間隔当りの中継器により処理される呼の数の平均および標準偏差、中継器により処理される各呼の長さ、中継器により処理されるドロップした呼の数を含んでいる。さらに、中継器により処理される呼に関して集められた統計は中継器の性能と中継器によりサービスされるセクタが基地局により良好にサービスされるか否かを評価するために、中継器なしに送信される呼の類似の統計と比較されることができる（例えばドロップされた呼、呼の容量、他の要素の比較）。本発明はまた逆方向リンク（遠隔局またはセルフォンから基地局へのリンク）で中継器から発する信号の出力パワーが実質上一定である１実施形態を開示している。これによりパワー制御システムは弁別子が中継器で付加されることにより生じるパワーの変動を補償するための余分な負担なしに動作することを可能にする。これはまた、中継器が基地局の他のユーザに与える“干渉”レベルを減少することを可能にする（例えば中継器は通常の中継器が基地局の受信機に付加するパワーを超える余分な受信パワーを付加することによって基地局の受信機の感度を減少させない）。さらに、本発明はＣＤＭＡ（ＩＳ−９５およびＣＤＭＡ２０００）、Ｅｖ−Ｄｏ（時折ＨＤＲ）、Ｅｖ−ＤＶ、Ｗ−ＣＤＭＡ、ＧＳＭを含む広範囲の移動電話波形で使用可能である。
【００１１】
本発明の１実施形態はまた各中継器により処理された順方向および逆方向リンク送信に関する知識と、遠隔局の位置等の他の情報を使用して中継器が制御されることを許容する。例えば、
（１）情報は順方向リンク利得を変化するために使用されることができ、それによって中継器のカバー領域（中継器によりサービスされる領域）を増加（または減少）する。
【００１２】
（２）通常、順方向リンク利得が変更されるならば、類似の調節が逆方向リンク利得において行われなければならない。逆方向リンク利得は（例えば温度変化による）パス損失の変化または中継器内の利得変化を補償するように調節されることができる。順方向および逆方向リンク送信がどの中継器により処理されたかに関する情報はまた逆方向リンク利得の制御に使用されることができ、中継器のカバー領域の遠隔局により観察されるように順方向リンクと逆方向リンク間に平衡を設定する。中継器利得はまた送信機の発振等の不所望な動作特性を防止するように制御されることができる。
【００１３】
（３）情報は例えば（ａ）中継器または特定の中継器近くの中継器を使用している遠隔局の数（またはそれが存在するか）と、（ｂ）中継器が適切に動作しているか否か、または（ｃ）中継器は一日または週のある時間にのみ必要とされるかに基づいて、中継器を付勢または消勢するために使用されることができる。
【００１４】
（４）情報は、アクチブチャンネルの選択と、選択されたアクチブチャンネルの周波数および／または帯域幅の選択を含む中継器により再放送されるチャンネルを調節するために使用されることができる。この特徴は例えば、特定の周波数が非常に多く使用される場合に有効である。この状態では、メッセージトラフィックの負荷を共有するために特定の中継器（例えば地下鉄をカバーしている中継器）に異なる周波数を使用されることが所望されるかも知れない。
【発明を実施するための最良の形態】
【００１５】
図面を参照すると、同一の符号が全体を通して対応する部分を表している。  
１実施形態の以下の説明では、添付図面を参照し、図面はその実施形態の一部を形成し、本発明が実施される特別な実施形態を図示により示している。他の実施形態も使用可能であり、構造上の変化は本発明の技術的範囲を逸脱せずに行われることができることが理解されよう。
【００１６】
図１はセルラ電話機システム100の図である。セルラ電話機システム100は１以上の制御局102と複数の基地局104を具備している。基地局104は基地局104のサービル領域114内にある遠隔局112と通信する。遠隔局112は移動局（例えば自動車電話または携帯電話機）または固定局である。サービス領域114は通常、遠隔局112が基地局と効率的に通信できる点の軌跡の地理的範囲として説明される。サービス領域114の形状は図１ではほぼ円形として図示されているが、実際の形状は地理的な妨害物または他の要素により規定される。多数のサービス領域114は通常、広域でセルラ電話機サービスを提供するためにオーバーラップしている。
【００１７】
遠隔局112がサービス領域114内にあるとき、メッセージは順方向リンク106Aを介して制御センタ102から基地局104へ送信され、順方向リンク110Aを介して基地局104から遠隔局112へ送信される。メッセージはリンク110Bを介して遠隔局112から基地局104へ送信される。これらのメッセージは帰還リンク106Bを介して制御センタ102へ送信される。基地局104と制御局102との間の通信の幾つかまたは全ては所望ならば陸線108を介して伝送されることができる。また、順方向リンク106Aと110Aを介して送信されるメッセージは典型的に、逆方向リンク110Bと106Bを介して送信されるメッセージとは異なる周波数帯域または変調技術で変調される。順方向リンクと逆方向リンクとを別々に使用することにより、制御センタ102と遠隔局112との間で全二重通信が可能である。
【００１８】
制御局102は公共交換電話網（ＰＳＴＮ）116またはインターネット118のような他の通信ポータルに通信できるように結合される。したがって、遠隔局112のユーザにはセルラ電話機システム100を介して通信ポータルへのアクセスを行うことができる。
【００１９】
付加的な地理区域をカバーするためにより多くの基地局104を単に付加することによって、セルラ電話機ネットワーク100のカバー領域を拡張することが可能であるが、そうすることは時によって経済的ではない。多くの場合、例えば、カバーされるように要求される区域は基地局104の代わりに中継器120の使用を正当化するのに十分なトラフィックだけを有する。中継器120は移動局126と基地局104との両者からの送信を受取り、２つの間の媒介、基本的に“ベントパイプ”通信ポータルとして動作する。中継器120を使用することにより、基地局104の実効的な範囲は拡張されてサービス区域128をカバーする。中継器120は陸上ベースの中継器、大気中に配備される中継器、または静止軌道（ＧＥＯ）、中間地球軌道（ＭＥＯ）、低地球軌道（ＬＥＯ）の衛星に配備された中継器を含んでいる。中継器120は固定でも、可動でもよい。
【００２０】
中継器120の使用は距離範囲を増加するために価格的に有効な方法であるが、欠点を有する。基地局104の追加の代わりに多数の中継器120を使用すると（基地局104は拡張されたサービス領域128のトラフィックを処理し、したがって基地局104に付加的なトラフィックを与えるので）トラフィックを処理するために基地局104の需要を非常に増加する。中継器120の使用はまた遠隔局126の位置を決定するシステムの能力の低下と妥協する必要がある。これは少なくとも部分的に、中継器120を通過する信号が遠隔局126から基地局104へ直接送信される信号に存在しない遅延を受けるという事実によるものである。中継器120の使用はまた移動体の位置を決定するために受信された信号の振幅に少なくとも部分的に依存している位置決定アルゴリズムの正確性と妥協しなければならない。さらに、アルゴリズムを解く幾つかの位置は基地局104の既知の位置から得られる位置の評価を使用してそれ自体を初期化する（遠隔局112が基地局のカバー領域114内であることを仮定する）。遠隔局126が実際に基地局104のカバー領域114外であるが、中継器120のカバー領域128内であるならば、位置評価アルゴリズムは解に収斂するのに長くかかるか、解に到達できない。
【００２１】
図２Ａと図２Ｂは、セルラ電話機システム100の前述の欠点を改善するために使用されることのできる例示的なプロセスステップを示すフローチャートである。信号送信はブロック201と202で示されているように遠隔局126から中継器120へ送信され、そこで受信される。信号はブロック204で示されているように、中継器120と関連するシグナチャを有する弁別子を含むように処理される、処理された信号はその後、ブロック206で示されるように中継器120から基地局104へ送信される。中継器120により送信された信号は、その後ブロック208により示されるように基地局104により受信される。受信された信号はその後、ブロック210と211で示されているように、中継器120により与えられる弁別子を含む送信を識別するように処理される。任意の所定の時間で、基地局104は潜在的にそのカバー領域内に配置された１以上の遠隔局112および／または中継器120のカバー領域128中の１以上の遠隔局126から複数の信号を受信する。各複数の信号は（ブロック211で示されているように）これらが弁別子を含んでいるか否かを決定するために検査され、含んでいるならば、中継器120を介して送信されたものとして指定される。通常、複数の基地局104が存在し、各基地局104に関連される中継器120が１よりも多数存在するので、各中継器120により送信された信号に付加される弁別子は特定の中継器120により処理されているとして送信を弁別するため特定のシグナチャを含むことができる。このような場合、シグナチャは検査され、メッセージを送信した中継器120を決定するために使用される。これは例えば受信された信号のシグナチャを、そのシグナチャを中継器の識別に関連付ける情報のデータベースまたはリストと比較することによって行われることができる。シグナチャは周波数（例えば弁別子の周波数は中継器を識別する）、時間コンポーネント（例えば弁別子のタイミングは中継器を識別する）または以下さらに説明するようにその任意の組合わせを含むことができる。受信された信号送信が弁別子を含むならば、それはブロック212に示されているように、中継器を介して送信されたものとして指定される。このようなメッセージはブロック213に示されているように、シグナチャの識別のために検査される。メッセ−ジングはそれが関連する呼インスタンスと共にシグナチャと信号の識別特性を報告するために発生され、それによって特定の中継器が識別される。例えば、１実施形態では、メッセ−ジングは特定のシグナチャを特定の中継器へ関連付ける中継器識別データベースへ進む（この点で呼が特定の中継器を通してサービスされるとして登録される）。呼の進行を適切に記録し、または任意の位置の位置決定要求を適切にサービスするステップを取ることができる。
【００２２】
最後に、特定の中継器または全ての中継器を介して送信されたとして指定されている信号送信はブロック214に示されているように、監視特性と関連される。監視特性は指定された信号送信に関連する呼の長さ、指定された信号送信に関連される呼の数、および／または指定された信号送信に関連するドロップされた呼の数を含むことができる。この情報から、特定の中継器領域のドロップされた呼を監視し、中継器が基地局により直接的にサービスされている呼トラフィックに対してサービスしている呼トラフィック量を監視することができる。前述の処理および指定動作は基地局104または制御局102で行われることができる。
【００２３】
中継器に関連するシグナチャを有する弁別子を含むように受信された信号を処理するステップ（例えば図２Ａのブロック204に関して説明したステップ）は種々の方法で実行されることができる。受信された信号は弁別子で増加および／または変更されることができる。以下さらに詳細に説明するように、弁別子は信号パワーの和（即ち弁別子）が時間的に一定であるように交互に選択されるか個別に時間的に変化する１以上の遅延コンポーネントの形態を取ることができる（勿論、他の弁別子の使用、例えばＦＭおよびコード弁別子の使用は実質上一定のパワー出力の必要性を不要にする）。ＡＭを使用する弁別子は定義により一定の出力パワーをもたない。このような遅延弁別子は中継器120を通る順方向リンク通信と、中継器120を通る逆方向リンク通信に、または順方向リンクおよび逆方向リンク通信の両者に適用されることができる。
【００２４】
弁別子はシグナチャを含むこともできる。例えば弁別子シグナチャは各遅延コンポーネントの遅延、遅延コンポーネントが相互に切換えられる期間または総信号パワーに対する各遅延コンポーネントの影響等である。
【００２５】
本発明は、弁別子が送信信号に付加される実施形態に限定されない。前述の説明は中継器120が信号特性を付加するのではなく除去することにより弁別子を提供するシステムによって実行されることができる（例えば遠隔局112からの直接的な信号は、変調、遅延または送信前に中継器120により除去された他の情報を含むことができる）。しかしながら、この場合でさえも、中継器120を通る信号は弁別子で増加される（弁別子は他の受信された信号が有するものと予測される変調がない）。
【００２６】
弁別子は多数の異なる形態を取ることができる。１実施形態では、弁別子はコードである。そのコードは（例えば遠隔局126から中継器120で受信される信号を受信し復調し、コードを付加し、付加されたコードを有する信号を再度変調して基地局104へ送信することにより）ベース信号または情報へ付加されてもよく、または復調された信号ではなく変調された信号自体へ付加されてもよい。別の実施形態では、弁別子は帯域内トーンを含んでいる。
【００２７】
別の実施形態では、弁別子は受信された信号の復調なしに、遠隔局126から中継器120で受信された信号に行われる変調である。この変調は振幅変調（ＡＭ）（例えば帰還リンク搬送波振幅に対する小さい摂動）、位相変調周波数変調（ＦＭ）（例えば帰還リンク搬送波周波数における小さい摂動）、パルス変調、遅延変調（ＤＭ）、またはこのような変調技術の任意の組合わせであってもよい。拡散スペクトル送信の応用に適切な例示的な変調技術は文献（“Spread Spectrum Communications Handbook”、Marvin K. Simon、改訂版、1994年、ISBN-0-07-057629-7、11-12頁）に記載されており、ここで参考文献とされている。
【００２８】
図３は、従来技術の中継器120のブロック図である。中継器120は信号を受信するためのドナーアンテナ302と、ドナーアンテナ302で受信された信号を増幅する増幅器308と、中継器120により受信された信号を送信（または中継）するサーバアンテナ304を含んでいる。また、第２の増幅器306はサーバアンテナ304で受信された信号を増幅し、増幅された信号をドナーアンテナ302に提供する。中継器120は順方向リンク122A、124Aと逆方向リンク124B、122Bの信号を別々に受信し、増幅し、送信する多数のアンテナおよび／または多数の増幅器も具備している。
【００２９】
図４は本発明の中継器400の１実施形態のブロック図である。図示の実施形態では、中継器400はトランシーバ424に通信できるように結合されているサーバアンテナ304を具備している。トランシーバ424はサーバアンテナ304におり感知される（それぞれ典型的に遠隔局の１つから開始するまたはそこへ誘導される呼に関連される）１以上の送信を受信する受信機と、通信できるように結合された第２のトランシーバ426から与えられた情報を送信する送信機とを含んでいる、図示の実施形態では、トランシーバ424は単通信を二重通信に変換するデュプレクサ404と、第２のトランシーバ426により提供される信号を増幅する増幅器418とを含んでいる。前述の説明は別々の送信および受信アンテナでも同様に実行され、その場合には、デュプレクサ404、406は省略される。
【００３０】
ここで使用されているように、語句“通信できるように結合”は情報が直接的にまたは他のシステム素子を介して送信される場合を含めて、情報が１つの素子から他の素子へ送信されるシステム素子間の結合を指している。
【００３１】
第１のトランシーバ424は通信できるように弁別子プロセッサ422へ結合されている。弁別子プロセッサは受信された信号を受取り、受信された信号を中継器に関連するシグナチャを有する弁別子を含むように処理する。弁別子プロセッサ422は第２のトランシーバ426へ通信できるように結合されている。第２のトランシーバ426受信機および送信機を含み、弁別子プロセッサ422からの信号を受取り、その信号をドナーアンテナ302を介して送信する。第２のトランシーバ426もまたドナーアンテナ302により感知される信号を受信し、サーバアンテナ304を介して送信するために受信された信号を第１のトランシーバ424へ提供する。
【００３２】
弁別子プロセッサ422への入力はスイッチ420を介して選択的に第１の遅延素子410と第２の遅延素子へ供給され、その後結合器412へ与えられる。結合器412はまた入力を受取り、それを直接信号路406を介して弁別子プロセッサ422へ結合し、したがって結合器の出力において、入力を（直接信号路406を介して）弁別子プロセッサとτ1またはτ2秒だけ遅延される入力信号に提供する。
【００３３】
結合器412の出力は第２のトランシーバ426に通信できるように結合される。与えられる信号はその後、第２のトランシーバ426の増幅器414により増幅され、送信のためにドナーアンテナ302に提供される。
【００３４】
図５は、図４で示されている第２のトランシーバにより送信される信号の１実施形態を示す図である。水平軸は時間を示し、符号分割多元アクセス（ＣＤＭＡ）技術を使用する実施形態では、このような時間はチップにより表される、送信された信号は（直接信号路406を介する）直接コンポーネント502と、スイッチ420により選択される第１504または第２506の遅延変調されたコンポーネントである第２のコンポーネントを含んでいる。１実施形態では、第１504および第２506の遅延変調されたコンポーネントは中継器120のシグナチャを提供するように交互に選択され、したがって信号が中継器120を介して送信されたことを示すだけではなく、送信に関与した中継器を識別する。
【００３５】
したがって、帰還リンクエンベロープ全体をサンプリングし、数チップの時間だけそれを中継器から遅延することにより、遅延された信号の存在はそのトラフィックを中継器トラフィックとしてマークするために使用されることができる。さらに以下説明するように、この遅延された信号はセル局受信機（ＣＳＲ）での識別を許容し、自然のマルチパスコンポーネントで混乱されないように特有の方法で変化される。この逆方向リンク信号とその摂動はＣＳＲのフィンガ追跡回路および／またはサーチャ回路で可視である。
【００３６】
典型的に、セルラ電話システム100は制御局102または基地局104が遠隔局112の送信されたパワーを制御することを可能にする素子を含んでいる。このようなパワー制御サブシステムは特定の基地局104近くに配置された遠隔局112がさらに基地局から離れた他の遠隔局からの信号をオーバーパワーしないようにする。前述の遅延変調技術は、中継器120が規定されることを可能にするシグナチャを有する効率的な弁別子を提供するが、遅延コンポーネント間の結果的な突然の切換えはパワー制御サブシステムに問題を生じさせる。したがって、遅延コンポーネントτ1およびτ2間の急激な切換えを避けることが有効である。
【００３７】
図６は、本発明の弁別子プロセッサ422の別の実施形態を示す図である。この実施形態では、弁別子プロセッサ422は第１の増幅器602と第２の増幅器610を含み、両者ともトランシーバ424からの入力信号を受信するように通信できるように結合されている。各第１の増幅器602と第２の増幅器610はそれぞれ利得制御装置604と612により可変に制御可能であり、それによって全体的な送信された信号に対する遅延素子からの各影響間に円滑な転移が存在する。各可変に制御可能な増幅器602、610の出力は遅延素子410、408に通信できるように結合されている。遅延素子410、408の出力は結合器412に通信できるように結合されており、その結合器412は各遅延素子からの信号と直接パス406を介した入力信号とを結合し、ドナーアンテナ302を介して最終的に送信するために第２のトランシーバ426へ供給される出力信号を発生する。出力信号（および第２のトランシーバ426により送信される信号の信号強度）は各遅延コンポーネントτ1およびτ2間で徐々に転移される。
【００３８】
増幅器602と610の利得（および各遅延素子による処理後の入力信号の影響力）は、第２のトランシーバ426により与えられる信号の出力パワーが適切に制御される限り、多数の方法で利得制御装置604と612により調節されることができる。
【００３９】
図７は利得制御装置604と612により与えられる例示的な制御信号を示す図である。図示の例では、増幅器602と610の両者の利得は鋸歯状波または三角形の形状を有する制御信号702と704にしたがって制御される。１つの制御信号（例えば制御信号704）は他に関して１８０度（またはπラジアン）位相がずれている。その結果、２つの増幅器602と610の遅延された出力の和は実質上一定であり、結合器412の出力、したがって第２のトランシーバ426の出力も実質上一定である。
【００４０】
前述の急峻ではない転移を使用して、（図５で示されているような）遅延コンポーネントは１つの遅延オフセットから他へ適切に変位する（例えば時間オフセットτ1における遅延コンポーネントは消滅し始め、時間オフセットτ2において遅延コンポーネントは現われ始める）。急峻な転移がセルラ電話機システム100のパワー制御システムにおいて有する幾つかの問題の改善に加えて、これは弁別子信号とそのシグナチャが基地局104により容易に追跡されることを可能にする。
【００４１】
用語“実質的”はこのコンテキストで使用されるとき、セルラ電話機システム100のパワー制御システムの性能に悪影響する不当なパワー変化を発生しないような、必要とされる定常量を指している。さらに、図４および５では、２つの遅延コンポーネント（τ1およびτ2）は本発明の原理を示すために使用された。本発明はまた所望ならば１以上の遅延コンポーネント（例えばτ1，τ2，．．．，τｎ）で実行されることもできる。遅延変調ではなくＦＭ変調が使用されるならば、逆方向リンクの出力パワーは図７に示されているような波形を有する増幅器602と610を制御せずに、実質上一定である。
【００４２】
図８−１０は本発明を伴って使用されることができる中継器120の構造を示す図である。図８は遠隔局126、基地局104、中継器120に関する方向付けに関する基本的な中継器120の構造を示している。図８に示されている実施形態では、ドナーアンテナ302は基地局104（または多数の基地局）に指向され、サーバアンテナ304はほぼ遠隔局126に指向されている。
【００４３】
図９は、中継器120から基地局104へのリンクが同軸または光ファイバケーブル等の陸線802を介して実現されている中継器の構造を示す図である。
【００４４】
図１０は、サーバアンテナ902が単一のアンテナではなく複数の位置に分散された複数のアンテナ902A、902Bである中継器構造を示す図である。例えば、アンテナ902A、902Bはビルディングの異なるフロアまたは地下鉄のトンネルの長さに沿って配置される。基地局104へ戻る接続は（図９に示されているように）地上リンクまたは図８に示されている無線リンク（または光リンク）を介して行われる。
【００４５】
図１１は、中継器120を介して遠隔局126から受信された信号を遠隔局112から直接受信された信号から弁別する基地局104の素子の１実施形態を示している。基地局104は、遠隔局112、126または中継器120と信号を送受信するための受信機および送信機を具備する第１のトランシーバ1102を含んでいる。基地局104はまたトランシーバ1102と通信できるように結合されたプロセッサ1102と、プロセッサ1104と通信できるように結合された第２のトランシーバ1106とを含んでいる。第２のトランシーバ1106は受信機と送信機も含んでいる。
【００４６】
プロセッサ1104は受信された送信を識別し、その幾つかは中継器が提供した弁別子を含み、このような受信された信号送信を中継器120を介して送信されたものとして指示する。プロセッサ1104はまた指定された信号特性を前述の１以上の監視特性に関連付ける。プロセッサ1104は特別目的のプロセッサ、特に設計されたハードウェア回路またはソフトウェアとハードウェアモジュールの両者を含むこの両者の組合わせであってもよい。
【００４７】
図１２は、本発明のプロセッサ1104および他の素子を構成するために使用されるコンピュータシステム1200を示す図である。コンピュータシステム1200はコンピュータ1202を含み、コンピュータ1202はコンピュータプロセッサ1204およびランダムアクセスメモリ（ＲＡＭ）1206のようなメモリを含んでいる。コンピュータ1202は、ウィンドウのようなイメージをグラフィックユーザインターフェース1218Bでユーザへ与えるディスプレイ1222へ動作するように結合されている。コンピュータ1202はキーボード1214、マウス装置1216、プリンタ等のような他の装置にも結合されている。前述のコンポーネント、任意の数の異なるコンポーネント、周辺機器、その他の装置の任意の組合わせがコンピュータ1202と共に使用されることができる。
【００４８】
通常、コンピュータ1202は、メモリ1206に記憶されているオペレーティングシステム（ＯＳ）1208の制御下で動作し、入力およびコマンドを受取り、結果をグラフィックユーザインターフェース（ＧＵＩ）モジュール1218Aを通して与えるようにユーザとインターフェースする。ＧＵＩモジュール1218Aは別体のモジュールとして示されているが、ＧＵＩ機能を行う命令はオペレーティングシステム1208、コンピュータプログラム1210に存在または分配されるか、特別目的のメモリおよびプロセッサで構成されることができる。コンピュータ1202はＣＯＢＯＬ、Ｃ＋＋、ＦＯＲＴＲＡＮのようなプログラミング言語、または他の言語で書かれたアプリケーションプログラム1210がプロセッサ1204の読取可能なコードに変換されることを可能にするコンパイラ1212を構成する。完了後、アプリケーション1210はコンパイラ1212を使用して発生された関係および論理を使用して、コンピュータ1202のメモリ1206に記憶されたデータをアクセスし操作する。コンピュータ1202はモデム、衛星リンク、イーサネット（Ｒ）カードまたは他のコンピュータと通信する他の装置のような外部通信装置を具備している。
【００４９】
１実施形態では、オペレーティングシステム1208、コンピュータプログラム1210、コンパイラ1212に実行させる命令はコンピュータの読取可能な媒体で具体的に実施される。コンピュータの読取可能な媒体は例えばジップドライブ、フロッピー（Ｒ）ディスクドライブ1224、ハードドライブ、ＣＤ−ＲＯＭドライブ、テープドライブ等のような固定された、または取外し可能なデータ記憶装置を含むことができる。さらに、オペレーティングシステム1208とコンピュータプログラム1210はコンピュータ1202により読取られ実行されるときにコンピュータ1202に本発明の実行および／または使用に必要なステップを行わせる命令を含んでいる。コンピュータプログラム1210および／または動作命令もメモリ1206および／またはデータ通信装置1230で具体的に実施され。それによって本発明により、コンピュータプログラムプロダクトまたは製造品が形成される。このような、ここで使用されている用語“製造品”、“プログラム記憶装置”、“コンピュータプログラムプロダクト”は任意のコンピュータの読取可能な装置または媒体からアクセス可能なコンピュータプログラムを含めることを意図している。
【００５０】
前述の技術およびシステムは同様に中継器を介して送信される（基地局から遠隔局への）順方向リンク送信を識別するために適用されることができる。
【００５１】
図１３Ａ乃至図１３Ｃは、順方向リンク通信の識別に使用されることができる例示的なステップを説明するフローチャートである。（例えばＰＳＴＮ116またはインターネット118またはページングサービスのユーザからの）出てゆく呼または遠隔局112から発生する呼に応答する帰還メッセージはブロック1302により示されているように基地局104により送信される。遠隔局が基地局104のカバー領域114内に存在する（例えば遠隔局112で図１に示されているように位置されている）ならば、送信された順方向リンク信号はブロック1310により示されているように、遠隔局で直接的に受信されることができる。しかしながら、遠隔局が基地局104のカバー領域114の外部に存在する（例えば遠隔局126で図１に示されているように配置されている）ならば、送信された順方向リンク信号はブロック1304により示されているように、遠隔局への送信のため中継器120により受信される。遠隔局が動くとき、複数の基地局から順方向リンクメッセージを受信し、そのうちの幾つかは中継器を介して送信されており、他は中継器なしで直接、基地局から送信される。
【００５２】
順方向リンク信号が中継器120を介して遠隔局126へ送信されるならば、ブロック1306と1308で示されているように、中継器は中継器120に関連する順方向リンク弁別子を含むように受信された順方向リンク信号を処理し、順方向リンク弁別子を有する処理され受信された信号を遠隔局126へ送信する。遠隔局126は順方向リンク弁別子を有する順方向リンク送信を受信し、順方向リンク弁別子を含んだ受信された送信を識別するために受信された送信を処理する。これはブロック1310および1312に示されている。
【００５３】
図１３Ｂは受信された順方向リンク信号が中継器を介して送信されたか否かを評価し、所望ならば中継器を識別するために使用されることのできる例示的なステップを示したフローチャートである。この実施形態では、この評価は遠隔局126により自主的に行われる。図１３Ｂを参照すると、受信された順方向リンク信号送信が順方向リンク弁別子を含んでいるならば、受信された信号送信は中継器を介して送信されたものとして指定される。これはブロック1314と1316で示されている。所望ならば、順方向リンク弁別子のシグナチャは順方向リンク信号が中継器120を介して送信されたかを決定するだけでなく、ブロック1318に示されているように、弁別子を付加した中継器を識別するために使用されることができる。また、所望ならば、遠隔局126は中継器を介するメッセージ受信に関する情報を記憶できる。この情報は例えば位置を決定し、サービス品質を決定するために、または他の目的で遠隔局126の補助に使用されることができる。
【００５４】
図１３Ｃは、受信された順方向リンク信号が中継器を介して送信されたか否かを評価するため、および所望ならば中継器を識別するために使用されることができるさらに例示的なステップを示すフローチャートである。この実施形態では、評価は基地局で実行される。図１３Ｃを参照すると、遠隔局126は順方向リンク弁別子を有するメッセージが基地局104へ送信される。１つのケースでは、メッセージは中継器120の補助なしに基地局104へ直接送信される。この場合、ブロック1328と1330に示されているように、メッセージは受信され、前述したように順方向リンク弁別子を含んだ送信を識別するように処理される。別のケースでは、メッセージは中継器120を介して基地局104へ送信される。この中継器は典型的に順方向リンクメッセージを遠隔局126へ送信した同一の中継器であるが、遠隔局126は送信間のインターバル中に１つの中継器によりサービスされる区域から別の中継器によりサービスされる区域へ移動しているかもしれないので、同一の中継器ではないかもしれない。中継器120はブロック1324に示されているように、単に受信された信号送信を基地局104へ転送でき、または逆方向リンク弁別子を受信された信号に付加できる。この例では、基地局104は順方向および逆方向リンク弁別子の両者を有するメッセージを受信し、それ故、メッセージが順方向リンクの第１の中継器および逆方向リンクの第２の中継器を介して送信されたことを決定することができる。
【００５５】
中継器120は第１の電子透かしまたはその他の弁別子（例えばＦＭ）を順方向リンクへ同時に提供でき、第２の弁別子（例えばＡＭ）を逆方向リンクへ同時に提供できることに注意すべきである。これは遠隔局112／126および基地局104がこれらが中継器120を介して信号を受信したときを同時に（および独立して）決定することを可能にする。
【００５６】
中継器120を通過する順方向リンク信号へのある弁別子の提供は特別な逆方向リンク弁別子を提供せずに遠隔局126と基地局104との両者により感知されることができることが明らかである。同様に、中継器120を通過する逆方向リンク信号へのある弁別子は、特別な順方向リンク弁別子を適用せずに、基地局104と遠隔局126との両者により感知されることができる。１例として、セルラ電話機システム100は典型的に制御局102または基地局104が遠隔局112または126の送信されたパワーを制御することを可能にする素子を含んでいる。これは典型的に遠隔局112または126から受信された信号の強度または品質を測定し、順方向リンクのパワー制御ビットを介して遠隔局送信機パワーを調節することにより実行される。
【００５７】
１実施形態では、遠隔局112（基地局104または制御局102）のパワーを制御するエンティティは逆方向リンク信号の特徴的な振幅変化により中継器により与えられた弁別子（例えば中継器からの形態または振幅変調されたパワー）を認識する。制御装置（104および／または102）で中継器を識別すると、システムの自然応答は順方向リンクで適切なパワー制御調節を送信することにより受信されたパワーの摂動を中和する。信号が中継器120から来たことが決定されても、遠隔局は（例えばパワー制御ビットの送信により）異なるパワーレベルへ命令される。遠隔局はその後、順方向リンクで送信したメッセージが中継器120を介して送信されたことを決定するためにこの情報にアクセスする。この決定は自主的に、または他のシステム素子からの付加的な情報により実行されることができる。例えば、順方向リンクで中継器120により付加されるＡＭ弁別子は（典型的に推計的な）フェーディングおよび他の送信現象ではなく中継器が増加した弁別子に確実に帰する特定の発振周波数を含むことができる。
【００５８】
別の実施形態では、制御装置（104および／または102）は逆方向リンク通信を中継器を介して受信されたものとして識別する（恐らく中継器も識別する）。しかしながら、信号は中継器120から来たことが決定されたので、遠隔局112は異なるパワーレベルに命令されない（例えばパワービットは送信されない）。これは遠隔局112が不必要にその送信機パワーを変更することを防止する。
【００５９】
特別な逆方向リンク弁別子を与えずに遠隔局126と基地局104とにより順方向リンクの中継器120により与えられる弁別子を感知する前述の能力（または特別な順方向リンク弁別子を与えずに基地局104と遠隔局126の両者により中継器120を通過する逆方向リンク信号に与えられるある弁別子を感知する能力）は他の（例えばパワーではない制御に関連する）の弁別子タイプで適用されることができる。例えば、中継器120が（例えば周波数の小さいオフセットを与えることにより）順方向リンクの搬送波周波数を調節するならば、ＭＳ126の受信機はこれを追跡する。（例えばドップラシフトの追跡に使用される）この能力は多数の既存のＭＳ126ユニットに存在する。この受信された周波数オフセットはＭＳ126に中継器120を識別するための弁別子を提供する。
【００６０】
ＭＳ126または112は受信機の局部発振器（ＬＯ）と、受信機ＬＯの周波数に基づいた周波数で動作する送信機ＬＯとを含んでいる。ＭＳ126受信機が中継器120からの周波数シフトを追跡するとき、これらのシフトはＭＳ126送信機に現われる。弁別子は逆方向リンクに与えられ、基地局104の受信機で検出されることができる。
【００６１】
当業者は本発明の技術的範囲を逸脱せずにこの構造に多数の変更を行うことが可能であることを認識するであろう。例えば、当業者は前述のコンポーネント、または任意の数の異なるコンポーネント、周辺機器、およびその他の装置の任意の組合わせが本発明により使用されてもよいことを認識するであろう。さらに、ここに記載された方法および手順は、多数のタイプの通信システムの中継器に応用可能であり、他の１対１通信システム（例えば基地局対移動局、移動局対移動局、警察、救急車、消防署により使用される中継または中継されていない通信）および、例えば放送中継器を使用する１対多通信システム（例えばデジタルテレビジョンまたはデジタルオーディオ放送中継器）を含んでいる。
【００６２】
［結論］  
本発明の好ましい実施形態を含んだ説明を結論付けする。本発明の好ましい実施形態の前述の説明は例示および説明目的で記載されたものである。説明したものと正確に一致した形態に本発明を限定することを目的としない。多数の変形および変更は前述の考察を考慮して可能である。
【００６３】
本発明の技術的範囲はこの詳細な説明に限定されず、添付の特許請求の範囲により限定されることを意図している。前述の説明、例、データは本発明の装置の製造や使用および方法の完全な説明を提供する。本発明の多数の実施形態は本発明の技術的範囲を逸脱せずに行うことが可能であり、本発明は添付の特許請求の範囲によって規定される。
【図面の簡単な説明】
【００６４】
【図１】セルラ電話機システムを示す図。
【図２Ａ】本発明の１実施形態を実施するために使用されることのできる例示的なプロセスステップを示すフローチャート。
【図２Ｂ】本発明の１実施形態を実施するために使用されることのできる例示的なプロセスステップを示すフローチャート。
【図３】従来技術の中継器のブロック図。
【図４】遅延変調を使用している本発明の中継器の１実施形態のブロック図。
【図５】図４で示されている第２のトランシーバにより送信される信号の１実施形態を示す図。
【図６】本発明の弁別子プロセッサの別の実施形態を示す図。
【図７】利得制御装置により与えられる例示的な制御信号を示す図。
【図８】遠隔局、基地局、中継器に関する方向付けに関する基本的な中継器の構造を示す図。
【図９】中継器から基地局へのリンクが同軸または光ファイバケーブル等の陸線を介して行われている中継器構造を示す図。
【図１０】サーバアンテナが単一のアンテナではなく複数の位置に分散された複数のアンテナである中継器構造を示す図。
【図１１】中継器を介して遠隔局から受信された信号を基地局の直接受信された信号から弁別する基地局素子の１実施形態を示す図。
【図１２】本発明のプロセッサおよび他の素子を構成するために使用されるコンピュータシステムを示す図。
【図１３Ａ】中継器を介して送信される順方向リンク通信が弁別子により識別される本発明の１実施形態を示す図。
【図１３Ｂ】中継器を介して送信される順方向リンク通信が弁別子により識別される本発明の１実施形態を示す図。
【図１３Ｃ】中継器を介して送信される順方向リンク通信が弁別子により識別される本発明の１実施形態を示す図。
【図１】
2006507698.tif 000003
【図２Ａ】
2006507698.tif 000004
【図２Ｂ】
2006507698.tif 000005
【図３】
2006507698.tif 000006
【図４】
2006507698.tif 000007
【図５】
2006507698.tif 000008
【図６】
2006507698.tif 000009
【図７】
2006507698.tif 000010
【図８】
2006507698.tif 000011
【図９】
2006507698.tif 000012
【図１０】
2006507698.tif 000013
【図１１】
2006507698.tif 000014
【図１２】
2006507698.tif 000015
【図１３Ａ】
2006507698.tif 000016
【図１３Ｂ】
2006507698.tif 000017
【図１３Ｃ】
2006507698.tif 000018
【国際調査報告】
2006507698.tif 000019
2006507698.tif 000020
2006507698.tif 000021